(57)【特許請求の範囲】
【請求項１】
帯揚げの一部に立体状の装飾を形成するための帯揚げ装飾形成部材と、前記帯揚げを帯の上方に固定するための帯揚げ固定部材と、からなり、
前記帯揚げ装飾形成部材は、帯の内側に差し込まれる平板状の差込部と、当該差込部をなす平板の一端に設けられ、帯揚げの一部を巻き付けることで帯揚げに立体状の装飾を形成する球状の装飾形成部と、で構成され、
前記帯揚げ固定部材は、帯の内側に差し込まれる平板状の差込部と、当該差込部をなす平板の一端に設けられ、帯揚げの一部を固定する紐部材を取り付けるための開口部と、で構成され、
帯揚げの長さ方向一端部の近傍を帯揚げ装飾形成部材における球状の装飾形成部に巻き付けた状態で輪ゴムで留めると共に、装飾形成部に巻き付けた帯揚げの端部近傍を拡げて花びらのような形状に整えることで立体状の装飾を形成し、かつ、装飾を形成した端部とは反対側の帯揚げの端部に帯揚げ固定部材の開口部に取り付けられた紐部材を留めることで、帯揚げの一端側に帯揚げ装飾形成部材が取り付けられ且つ立体的な花状の装飾が形成されると共に、帯揚げの他端側には帯揚げ固定部材が取り付けられることを特徴とする帯揚げ装飾形成用具。
【請求項２】
前記帯揚げ装飾形成部材及び前記帯揚げ固定部材の差込部をなす平板は、その他端が尖状又は円弧状となっていることを特徴とする請求項１に記載の帯揚げ装飾形成用具。
【請求項３】
帯状の本体部と、当該本体部の一部に形成された立体状の装飾部と、前記本体部の一部に設けられ、帯の内側に差し込まれる平板状の差込部と、を備えて成り、
前記立体状の装飾部は、前記本体部の一部に、請求項１又は２に記載された帯揚げ装飾形成用具の帯揚げ装飾形成部材が取り付けられることで形成されているとともに、
前記差込部は、前記本体部の一部に、請求項１又は２に記載された帯揚げ装飾形成用具の帯揚げ固定部材が取り付けられることで設けられていることを特徴とする帯揚げ。
【発明の詳細な説明】
【技術分野】
【０００１】
本発明は、帯揚げに立体状の装飾を形成するための用具と、一部に立体状の装飾が形成された帯揚げに関するものである。
【背景技術】
【０００２】
従来、着物や帯の色、模様、素材等に応じて、帯揚げの色や素材、或いは結び方等を種々変更することで、着物のトータルコーディネートがなされている。
【０００３】
ここで、帯揚げの装飾性を向上させるために、帯状の布からなる帯揚げの長さ方向端部同士の結び方や、その長さ方向端部及び幅方向端部の帯内側への収納状態等によって、帯揚げの見せ方が工夫されている。
【０００４】
また、特許文献１では、上縁部の二箇所に各々上方に湾曲して並設された型部と、当該型部の間の凹部に設けられた切欠部とが設けられた帯揚げ飾り板を用いて、帯揚げを着付ける技術が提案されている。すなわち、この特許文献１において、帯揚げは、帯の間に挿入された帯揚げ飾り板の型部に被せられ、帯揚げ飾り板の切欠部に帯揚げの両端側の端部が挿入された状態で帯の上方に固定されるため、帯揚げに良好な形や膨らみを容易に形成することができ、しかもその形状を長時間保持することができる。
【特許文献１】特許第２８６０６４７号公報
【発明の開示】
【発明が解決しようとする課題】
【０００５】
しかしながら、帯揚げは、一枚の布からなるため、帯揚げの端部同士の結び方や、帯揚げ端部の帯内側への収納方法を変えるだけでは、帯揚げで形成できる装飾に限界があり、帯揚げの装飾性を向上させるという点で更なる改善の余地があった。
【０００６】
一方、上述した特許文献１に記載の帯揚げ飾り板においては、帯揚げに良好な形や膨らみを容易に形成できるが、形成される装飾は、従来と同様に、帯揚げの端部同士の結び方や、帯揚げ端部の帯内部への収納方法を変えることで得られるものであるため、帯揚げで形成できる装飾に限界があり、帯揚げの装飾性を向上させるという点で更なる改善の余地があった。
【０００７】
そこで、本発明は、上記事情に鑑みてなされたものであり、帯揚げの装飾性を向上させることができる帯揚げ装飾形成用具及び帯揚げを提供することを課題としている。
【課題を解決するための手段】
【０００８】
このような課題を解決するために、本発明は、帯揚げの一部に立体状の装飾を形成するための帯揚げ装飾形成部材と、前記帯揚げを帯の上方に固定するための帯揚げ固定部材と、からなり、前記帯揚げ装飾形成部材は、帯の内側に差し込まれる平板状の差込部と、当該差込部をなす平板の一端に設けられ、帯揚げの一部を巻き付けることで帯揚げに立体状の装飾を形成する球状の装飾形成部と、で構成され、前記帯揚げ固定部材は、帯の内側に差し込まれる平板状の差込部と、当該差込部をなす平板の一端に設けられ、帯揚げの一部を固定する紐部材を取り付けるための開口部と、で構成されていることを特徴とする帯揚げ装飾形成用具を提供する。
【０００９】
本発明に係る帯揚げ装飾形成用具によれば、球状の装飾形成部を有する帯揚げ装飾形成部材を備えたことにより、帯揚げ自体を用いて立体的な装飾を形成することができる。よって、従来技術のように、帯揚げの長さ方向端部同士の結び方や、帯揚げ端部の帯内側への収納方法を変えることで得られる装飾に加えて、帯揚げで形成される装飾のバリエーションを大幅に拡げることができる。従って、帯揚げの装飾性を向上させることができる。
【００１０】
また、本発明に係る帯揚げ装飾形成用具によれば、帯揚げの一部を固定する紐部材を取り付けるための開口部を有する帯揚げ固定部材を備えたことにより、帯揚げの長さ方向端部同士を結ばなくても、帯揚げを帯の上方に確実に固定することが可能となる。なお、帯揚げの一部を固定する紐部材としては、特に限定されないが、例えば、輪ゴム等の伸縮性素材を用いることができる。
【００１１】
さらに、本発明に係る帯揚げ装飾形成用具によれば、帯揚げ装飾形成部材及び帯揚げ固定部材において、帯の内側に差し込まれる平板状の差込部を備えたことにより、帯揚げを帯の上方に容易且つ確実に固定することが可能となる。また、差込部を平板状としたことにより、着用者が苦痛を伴うことなく、帯揚げを着付けることができる。
【００１２】
ここで、本発明に係る帯揚げ装飾形成用具において、前記帯揚げ装飾形成部材及び前記帯揚げ固定部材の差込部をなす平板は、その他端が尖状又は円弧状となっていることが好ましい。
本構成によれば、帯揚げ装飾形成部材及び帯揚げ固定部材の差込部を、さらに容易且つ確実に帯の内側に差し込むことができる。よって、帯揚げを帯の上方にさらに容易且つ確実に固定することができるとともに、帯揚げの着付けをより迅速に行うことができる。
【００１３】
本発明はまた、帯状の本体部と、当該本体部の一部に形成された立体状の装飾部と、前記本体部の一部に設けられ、帯の内側に差し込まれる平板状の差込部と、を備えたことを特徴とする帯揚げを提供する。
【００１４】
本発明に係る帯揚げによれば、帯状の本体部の一部に、立体状の装飾部を形成するとともに、帯の内側に差し込まれる平板状の差込部を備えたことにより、従来技術のように、帯揚げの長さ方向端部同士の結び方や、帯揚げ端部の帯内側への収納方法を変えることで得られる装飾に加えて、帯揚げで形成できる装飾のバリエーションを大幅に拡げることができる。従って、帯揚げの装飾性を向上させることができる。
【００１５】
また、本発明に係る帯揚げによれば、本体部の一部に立体状の装飾が設けられているため、容易且つ確実に、しかも迅速に帯揚げを着付けることができる。
ここで、本体部の一部に設けられる立体状の装飾部は、縫い付けや貼り付けにより本体部に固定して形成してもよい。本構成によれば、帯揚げをなす本体部の一部に立体的な装飾が固定されるため、立体的な装飾を長期間安定して保持することができる。
【００１６】
また、本発明に係る帯揚げにおいて、前記立体状の装飾部は、前記本体部の一部に、請求項１又は２に記載された帯揚げ装飾形成用具の帯揚装飾形成部材が取り付けられることで形成されているとともに、前記差込部は、前記本体部の一部に、請求項１又は２に記載された帯揚げ装飾形成用具の帯揚げ固定部材が取り付けられることで設けられている構成としてもよい。
【００１７】
本構成によれば、帯揚げに形成された立体状の装飾を必要に応じて適宜変化させることができるため、一つの帯揚げを用いて様々なコーディネートを行うことができる。
【発明の効果】
【００１８】
本発明に係る帯揚げ装飾形成用具によれば、帯揚げに立体状の装飾を形成することができるため、帯揚げの装飾性を向上させることができる。
【００１９】
また、本発明に係る帯揚げによれば、帯揚げの本体部に立体状の装飾が形成されているため、優れた装飾性を得ることができるとともに、容易且つ確実に、しかも迅速に着付けることができる。
【発明を実施するための最良の形態】
【００２０】
以下、本発明に係る一実施形態について、図面を参照しながら詳細に説明する。
【００２１】
＜第１実施形態＞
本実施形態では、本発明に係る帯揚げ装飾形成用具の一例について説明する。
図１は、本発明に係る帯揚げ装飾形成用具を示し、（ａ）は帯揚げ装飾形成部材の正面図、（ｂ）は帯揚げ装飾形成部材の側面図、（ｃ）は帯揚げ固定部材の正面図、（ｄ）は帯揚げ固定部材の側面図である。
【００２２】
本実施形態における帯揚げ装飾形成用具は、図１に示すように、帯揚げの一部に立体状の装飾を形成するための帯揚げ装飾形成部材１と、帯揚げを胴体に巻き付けた状態で帯の上方に固定するための帯揚げ固定部材２と、からなる。
【００２３】
帯揚げ装飾形成部材１は、図１（ａ），（ｂ）に示すように、帯の内側に差し込まれる平板状の差込部１１と、当該差込部１１をなす平板の一端に設けられ、帯揚げの一部を巻き付けることで帯揚げに立体状の装飾を形成する球状の装飾形成部１２と、で構成されている。
ここで、差込部１１と装飾形成部１２とは、樹脂素材の一体成形により形成されている。また、差込部１１をなす平板の他端（装飾形成部１２が形成されていない側の端部）１１Ａは、尖状に形成されている。
【００２４】
帯揚げ固定部材２は、図１（ｃ），（ｄ）に示すように、帯の内側に差し込まれる平板状の差込部２１と、当該差込部２１をなす平板の一端に設けられ、帯揚げの一部を固定する輪ゴム（紐部材）３を取り付けるための開口部２２と、で構成されている。
ここで、帯揚げ固定部材２の差込部２１は、帯揚げ装飾形成部材１と同様の樹脂素材で、差込部１１と略同一形状に形成されている。また、差込部２１をなす平板の他端（開口部２２が形成されていない側の端部）２１Ａは、尖状に形成されている。
【００２５】
なお、差込部１１，２１の寸法は、帯の内側に収納可能な大きさであれば特に限定されない。例えば、帯揚げの着付け時に着用者が苦しくなく、また、着付けを迅速に且つ確実に行うことを考慮すると、長さ寸法が１２ｃｍ程度、幅寸法が３ｃｍ程度、厚みが０．３ｃｍ程度の平板とすることが好ましい。
【００２６】
また、帯揚げ装飾形成部材１の装飾形成部１２をなす球体の寸法は、帯揚げに形成する装飾の種類や大きさに応じて適宜変更可能である。例えば、一般的な長さの帯揚げを用いた場合、帯揚げに立体的な装飾を形成しつつ且つ帯揚げを胴体に巻き付けた状態で帯の上方に確実に固定することを考慮すると、直径が３ｃｍ程度の球体とすることが好ましい。
【００２７】
次に、本実施形態における帯揚げ装飾形成用具を用いて、帯揚げ１０に装飾を形成する方法について説明する。
図２は、本発明に係る帯揚げ装飾形成用具を用いて、帯揚げに装飾を形成する方法の各手順を示す正面図である。
【００２８】
まず、図２（ａ）に示すように、帯揚げ１０の長さ方向一端部１０Ａの近傍を、帯揚げ形成部材１の装飾形成部１２の球体に巻き付けて、輪ゴム（図示せず）で留める。そして、装飾形成部１２の球体に巻き付けた帯揚げ１０の端部１０Ａ近傍を拡げて、花びらのような形状に整え、帯揚げ１０の一部に立体状の装飾２０を形成しておく。
次に、図２（ｂ）に示すように、図２（ａ）で装飾を形成した端部１０Ａとは反対側の帯揚げの端部１０Ｂに、帯揚げ固定部材２の開口部２２に取り付けられた輪ゴム（紐部材）３を留める。
【００２９】
すなわち、図２（ａ），（ｂ）の手順を経て、帯揚げ１０の一端１０Ａ側には、帯揚げ装飾形成部材１が取り付けられて、帯揚げ１０に立体的な花状の装飾２０が形成されているとともに、帯揚げ１０の他端１０Ｂ側には、帯揚げ固定部材２が取り付けられた状態となっている。
【００３０】
そして、帯揚げ１０で背中を覆った状態で、帯揚げ１０の両端部１０Ａ，１０Ｂを身体の両脇から前側に突出させた後、図２（ｃ）に示すように、まず、帯揚げ１０の一端１０Ａ側に取り付けられた帯揚げ装飾形成部材１の差込部１１を帯３０の内側に差し込んで固定する。その後、帯揚げ１０の他端１０Ｂ側に取り付けられた帯揚げ固定部材２の差込部２１を帯の内側に差し込んで固定する。この時、帯揚げ１０に形成した立体的な花状の装飾２０の形状や位置を調整しつつ、帯３０の上方に露出させる帯揚げ１０の幅を調整しながら行うようにする。
【００３１】
本実施形態における帯揚げ装飾形成用具によれば、球状の装飾形成部１２を有する帯揚げ装飾形成部材１を備えたことにより、帯揚げ１０自体を用いて立体的な装飾２０を形成することができる。よって、帯揚げ１０で形成できる装飾のバリエーションを大幅に拡げることができるため、帯揚げ１０の装飾性を向上させることができる。
【００３２】
また、本実施形態における帯揚げ装飾形成用具によれば、帯揚げ固定部材２を備えたことにより、帯揚げ１０の長さ方向端部１０Ａ，１０Ｂ同士を結ばなくても、帯揚げ１０を胴体に巻き付けた状態で帯３０の上方に確実に固定することができる。また、帯揚げ固定部材２を帯揚げ１０に取り付ける紐部材として、輪ゴム３を用いたことにより、帯揚げ固定部材２を容易且つ確実に帯揚げ１０の一端１０Ｂに取り付けることができる。
【００３３】
さらに、本実施形態における帯揚げ装飾形成用具によれば、帯揚げ装飾形成部材１及び帯揚げ固定部材２において、帯３０の内側に差し込まれる平板状の差込部１１，２１を備えたことにより、帯揚げ１０を帯３０の上方に容易且つ確実に固定することができる。また、差込部１１，２１を平板状としたことにより、着用者が苦痛を伴うことなく、帯揚げ１０を着付けることができる。
【００３４】
さらに、本実施形態における帯揚げ装飾形成用具によれば、帯揚げ装飾形成部材１及び帯揚げ固定部材２の差込部１１，２１をなす平板の他端を尖状としたことにより、これらの差込部１１，２１を、さらに容易且つ確実に帯３０の内側に差し込むことができるため、帯揚げ１０の着付けがより迅速に行える。
【００３５】
＜第２実施形態＞
本実施形態では、帯揚げ装飾形成用具を用いて、上述した第１実施形態とは異なる立体状の装飾２０を帯揚げ１０に形成する方法について説明する。
図３は、本発明に係る帯揚げ装飾形成用具を用いて、帯揚げに装飾を形成する方法の各手順を示す正面図である。
【００３６】
まず、上述した図２（ａ）と同様に、帯揚げ１０の長さ方向一端１０Ａ側に帯揚げ装飾形成部材１を取り付けて、花びらのような形状に整え、帯揚げ１０の一部に立体的な花状の装飾を形成する。
次に、図３（ａ）に示すように、図２（ａ）で形成した花状の装飾を中心にして、その周囲の帯揚げ１０で、綿やスポンジ等の弾性素材で構成した球状の充填材を包んで、輪ゴム（図示せず）で留める。そして、このような球状の充填材を複数用いて、花状の装飾の周囲に球状の複数の装飾を形成し、帯揚げ１０の一部に、立体的な葡萄のような形状の装飾２０を形成する。
【００３７】
また、図２（ｂ）と同様の手順を経て、帯揚げ１０の一端１０Ａ側には、帯揚げ装飾形成部材１が取り付けられ、帯揚げ１０の他端１０Ｂ側には、帯揚げ固定部材２が取り付けられた状態とする。
そして、図２（ｃ）と同様の手順を経て、図３（ｂ）に示すように、立体的な葡萄状の装飾２０が施された帯揚げ１０を帯３０の上方に固定する。
【００３８】
すなわち、本実施形態によれば、帯揚げ装飾形成用具を構成する帯揚げ装飾形成部材１の周囲に、その装飾形成部１２をなす球体と同様の球状体に構成した弾性素材を用いて、立体状の装飾２０を施すことで、帯揚げ１０の装飾性をより向上させることができる。
【００３９】
なお、第１実施形態においては、帯揚げ１０に花状の装飾２０を形成し、第２実施形態においては、帯揚げ１０に葡萄状の装飾２０を形成する場合について説明したが、装飾２０の形状はこれに限らず、適宜変更可能である。例えば、図４に示すように、上述した第１実施形態で形成した花と、第２実施形態で示した葡萄とを両方備えた装飾２０を形成してもよいし、花や葡萄以外の装飾を形成するようにしてもよい。
【００４０】
また、第１及び第２実施形態においては、帯揚げ装飾形成用具を構成する帯揚げ装飾形成部材１と帯揚げ固定部材２とをそれぞれ一つずつ用いた場合について説明したが、これらは少なくとも一つずつ用いるのであればこれに限らず、用いる数は適宜変更可能である。例えば、帯揚げ装飾形成部材１や帯揚げ固定部材２を二つ以上用いて、立体状の装飾２０を形成するようにしてもよい。
【００４１】
さらに、第１及び第２実施形態においては、帯揚げ装飾形成用具を構成する帯揚げ装飾形成部材１と帯揚げ固定部材２とを、いずれも樹脂素材で構成する場合について説明したが、これらの素材はこれに限らず、適宜変更可能である。
また、帯揚げ装飾形成部材１は、差込部１１と装飾形成部１２とを一体成形で構成する場合について説明したが、これに限らず、別体で構成してもよい。この場合、帯揚げ装飾形成部材１の差込部１１と装飾形成部１２は、同一素材で構成してもよいし、別素材で構成してもよい。
【００４２】
さらに、第１及び第２実施形態においては、帯揚げ装飾形成用具を構成する帯揚げ装飾形成部材１と帯揚げ固定部材２の差込部１１，２１を、略同一形状で構成する場合について説明したが、これに限らず、異なる形状で構成してもよい。
【００４３】
＜第３実施形態＞
本実施形態では、本発明に係る帯揚げ１００の一例について、図面を参照しながら説明する。
図５は、本発明に係る帯揚げの一例を示す正面図である。
【００４４】
本実施形態における帯揚げ１００は、図５に示すように、帯状の本体部１０１の一部に、立体的な葡萄状の装飾部１０２が形成されており、その本体部１０１の長さ方向両端１００Ａ，１００Ｂには、当該本体部１０１を胴体に巻き付けた状態で帯の内部に差し込んで固定するための平板状の差込部１０３と、を備えた構成となっている。
立体状の装飾部１０２は、本体部１０１の一部に、上述した第２実施形態で示したように、帯揚げ装飾形成用具の帯揚装飾形成部材１と、球状の充填材とが取り付けられることで形成されている。
【００４５】
また、帯揚げ１００の一端１００Ａには、上述した第２実施形態で示した帯揚げ装飾形成用具の帯揚げ装飾形成部材１が取り付けられ、帯揚げ１００の他端１００Ｂには、上述した帯揚げ固定部材２が取り付けられている。
すなわち、本実施形態における帯揚げ１００の差込部１０３は、上述した第２実施形態で示した帯揚げ装飾形成部材１の差込部１１と、帯揚げ固定部材２の差込部２１と、からなる。
【００４６】
そして、本実施形態における帯揚げ１００は、上述した図２（ａ），（ｂ）を経て作製した帯揚げ１０と同様の構成を有しており、上述した図２（ｃ）と同様の手順で、胴体に巻き付けられた状態で帯の上方に固定される。
【００４７】
本実施形態における帯揚げ１００によれば、帯状の本体部１０１の一部に立体状の装飾部１０２を形成し、本体部１０１の長さ方向両端１００Ａ，１００Ｂに、本体部１０１を帯の内側に固定するための差込部１０３を備えたことにより、帯揚げ１００で形成できる装飾のバリエーションを大幅に拡げることができるため、帯揚げ１００の装飾性を向上させることができる
【００４８】
また、本実施形態における帯揚げ１００によれば、本体部１０１の一部に立体状の装飾１０２が設けられているため、容易且つ確実に、しかも迅速に着付けることができる。
【００４９】
さらに、本実施形態における帯揚げ１００によれば、帯揚げ装飾形成部材１を帯揚げ１００の一部に輪ゴムで留めることで立体的な装飾１０２を形成しているため、輪ゴムを外して、帯揚げ装飾形成部材１の位置を替えたりすることで、これらの装飾１０２を必要に応じて適宜変化させることができる。よって、一つの帯揚げ１００を用いて様々なコーディネートを行うことができる。
【００５０】
なお、本実施形態では、上述した第２実施形態で示した帯揚げ装飾形成部材１と帯揚げ固定部材２をそれぞれ帯揚げ１００の両端１００Ａ，１００Ｂに取り付けることで、立体的な装飾１０２が形成された帯揚げ１００を構成したが、上述した第２実施形態で示した帯揚げ装飾形成部材１や帯揚げ固定部材２を用いずに、帯揚げ１００をなす本体部１０１の一部に縫い付けや貼り付け等で立体的な装飾１０２を形成するようにしてもよい。
【産業上の利用可能性】
【００５１】
本発明に係る帯揚げ装飾形成用具は、帯揚げ自体を用いて立体的な装飾が形成できるため、特に、成人式、結婚式、七五三のお祝い等の晴れ着をより華やかにするために好適に用いることができる。
【００５２】
また、本発明に係る帯揚げは、その本体部に立体的な装飾が形成されており、その本体部に設けられた差込部を帯の内側に差し込むだけで着付けることができるため、着付けが苦手な人や、身体が不自由で一人で着付けるのが困難な人であっても好適に用いることができる。
【図面の簡単な説明】
【００５３】
【図１】本発明に係る帯揚げ装飾形成用具を示し、（ａ）は帯揚げ装飾形成部材の正面図、（ｂ）は帯揚げ装飾形成部材の側面図、（ｃ）は帯揚げ固定部材の正面図、（ｄ）は帯揚げ固定部材の側面図である。
【図２】本発明に係る帯揚げ装飾用具を用いた帯揚げ装飾方法の一例を示し、（ａ）〜（ｃ）はその手順を示す正面図である。
【図３】本発明に係る帯揚げ装飾用具を用いた帯揚げ装飾方法の他の例を示し、（ａ）〜（ｃ）はその手順を示す正面図である。
【図４】本発明に係る帯揚げ装飾用具を用いた帯揚げ装飾方法の他の例を示す正面図である。
【図５】本発明に係る帯揚げの一例を示す正面図である。
【符号の説明】
【００５４】
１      帯揚げ装飾形成部材
２      帯揚げ固定部材
３      紐部材
１０      帯揚げ
１１      差込部
１２      装飾形成部
２０      立体状の装飾部
２１      差込部
２２      開口部
３０      帯
１００      帯揚げ
１０１      本体部
１０２      立体状の装飾部
１０３      差込部
【図１】
0005245171.tif 000002
【図２】
0005245171.tif 000003
【図３】
0005245171.tif 000004
【図４】
0005245171.tif 000005
【図５】
0005245171.tif 000006